(57)【要約】【課題】従来の情報処理装置は、情報表示装置１０１のディスプレイ手段１０３に合わせた縦横変換、画像の縮小による解像度変換、減色変換のみの画像処理であり、数インチ程度のディスプレイ手段１０３では、原画像よりも画質や質感が低下し、画像が見難くなり、また、カラーマネジメントは、カメラおよびディスプレイ等の画像入出力手段の色特性のみを吸収するものであり、原画像の正確な色を出力することができないと。【解決手段】本発明は、画像を、カラーマネジメントによる色変換に加え、情報表示装置１０１のディスプレイ手段１０３の性能と、画像に含まれる被写体の材質、撮影距離を含むコンテンツ情報とにより画像処理方法を選択し、更に、ユーザの画像に対する嗜好と、ユーザが入力する画像の質感とに応じて画像処理のパラメータを変化させ、最適な画像処理を行う。【選択図】  図１
2004219731.tif 000002
【特許請求の範囲】
【請求項１】
画像を表示するディスプレイ手段と、前記ディスプレイ手段の周囲の照明条件を示す端末周囲環境条件を計測する端末周囲環境取得手段と、前記端末周囲環境条件を記憶する端末周囲環境データベースと、前記ディスプレイ手段に表示する画像である要求画像をユーザが指定し、前記要求画像を要求する信号である画像要求信号を出力するユーザ入力手段と、前記ディスプレイ手段のメーカ名、品番、縦横の画素数、解像度、色特性及び使用可能フォーマットを含む情報である端末特性を蓄積する端末特性データベースと、前記端末特性、前記端末周囲環境条件及び前記画像要求信号を送信し、前記端末特性及び前記端末周囲環境条件により前記ディスプレイ手段に適応させた前記要求画像を受信する情報送受信手段とを有する情報表示装置。
【請求項２】
ユーザの嗜好、画像表示履歴、ユーザの年齢、視覚障害の有無及び視力の少なくとも１つを含むユーザ嗜好情報を記憶するユーザ嗜好データベースを更に含み、ユーザ入力手段が、更に、ユーザにより入力される前記ユーザ嗜好情報を前記ユーザ嗜好データベースに出力し、情報送受信手段が、更に、前記ユーザ嗜好情報を送信し、前記ユーザ嗜好情報を含めてディスプレイ手段に適応させた要求画像を受信する請求項１記載の情報表示装置。
【請求項３】
ユーザ入力手段が、更に、ユーザにより入力される要求画像の質感を示す信号である画像強調度変更信号を情報送受信手段に出力し、情報送受信手段が、更に、前記画像強調度変更信号を送信し、前記画像強調度変更信号を含めてディスプレイ手段に適応させた要求画像を受信する請求項１又は２記載の情報表示装置。
【請求項４】
端末特性及び端末周囲環境条件により決定された画像処理方法の組合せが蓄積された処理データベースと、要求画像のカラーマネジメントプロファイルにより前記要求画像を前記画像入力手段とディスプレイ手段とから独立した色空間に変換し、更に、前記画像処理方法の組合せを実施した前記要求画像を前記ディスプレイ手段の色空間に変換するカラーマネジメント手段と、前記ディスプレイ手段の解像度及び縦横の画素数により前記要求画像が変更される画像サイズである変更画像サイズを決定し、前記要求画像内の撮影された素材、前記素材を示す情報、前記要求画像の撮影距離及び前記要求画像の用途を含む情報であるコンテンツ記述ファイルにより前記画像処理方法の組合せを選択し、前記要求画像の画像サイズと前記コンテンツ記述ファイルとにより前記画像処理方法の組合せのパラメータを決定し、前記パラメータが調整された前記画像処理方法の組合せを前記カラーマネジメント手段により色空間が変更された前記要求画像に実施し、前記画像処理方法の組合せ実施後の前記要求画像を前記変更画像サイズに変更するコンテンツ考慮リサイズ手段と、前記ディスプレイ手段の色空間に変換された前記画像処理方法の組合せ実施後の前記要求画像を、使用可能フォーマットに変換するトランスコーディング手段とを更に有し、情報送受信手段が、画像要求信号を送信し、要求画像を受信する請求項１ないし３のいずれか記載の情報表示装置。
【請求項５】
カラーマネジメント手段が、カラーマネジメントプロファイルにより要求画像を画像入力手段とディスプレイ手段とから独立した色空間に変換し、前記ディスプレイ手段の色特性及び端末周囲環境条件により前記要求画像を前記ディスプレイ手段の色空間に変換する請求項４記載の情報表示装置。
【請求項６】
端末特性及び端末周囲環境条件により画像処理内容を決定する処理データベースと、要求画像を、前記端末特性により画像処理方法の組合せを選択し、前記画像処理方法の組合せのパラメータを、前記端末周囲環境条件及びコンテンツ記述ファイルにより決定し、前記パラメータを調整した前記画像処理方法の組合せを実施する画像変換手段と、前記画像処理方法の組合せ実施後の前記要求画像を、使用可能フォーマットに変換するトランスコーディング手段とを更に有し、情報送受信手段が、前記画像要求信号とを送信し、前記要求画像を受信する請求項１ないし３のいずれか記載の情報表示装置。
【請求項７】
画像要求信号、端末特性及び端末周囲環境条件が入力される配信手段と、前記端末特性及び前記端末周囲環境条件により決定された画像処理方法の組合せが蓄積されている処理データベースと、カラーマネジメントプロファイルにより前記要求画像を前記画像入力手段と前記ディスプレイ手段とから独立した色空間に変換し、更に、前記画像処理方法の組合せ実施後の要求画像を前記ディスプレイ手段の色空間に変換するカラーマネジメント手段と、前記ディスプレイ手段解像度及び縦横の画素数により変更画像サイズを決定し、コンテンツ記述ファイルにより前記画像処理方法の組合せを選択し、前記要求画像の画像サイズと前記コンテンツ記述ファイルとにより前記画像処理方法の組合せのパラメータを決定し、前記パラメータが調整された前記画像処理方法を前記独立した色空間の前記要求画像に実行し、前記画像処理方法の組合せ実施後の前記要求画像を前記変更画像サイズに変更するコンテンツ考慮リサイズ手段と、前記ディスプレイ手段の色空間に変換された前記画像処理方法の組合せ実施後の前記要求画像を、使用可能フォーマットに変換するトランスコーディング手段とを更に有し、前記配信手段が、前記ディスプレイ手段の色空間に変換された前記画像処理方法の組合せ実施後の前記要求画像を出力する情報処理装置。
【請求項８】
カラーマネジメント手段が、カラーマネジメントプロファイルにより要求画像を画像入力手段とディスプレイ手段とから独立した色空間に変換し、前記ディスプレイ手段の色特性及び端末周囲環境条件により前記要求画像を前記ディスプレイ手段の色空間に変換する請求項７記載の情報処理装置。
【請求項９】
画像要求信号、端末特性及び端末周囲環境条件が入力される配信手段と、コンテンツ記述ファイルとカラーマネジメントプロファイルとが合わせて記憶されている複数の画像を蓄積し、前記画像要求信号の示す要求画像を出力する画像データベースと、前記端末特性及び前記端末周囲環境条件により決定された画像処理方法の組合せが蓄積された処理データベースと、前記画像データベースから読み出された前記要求画像を、前記端末特性により画像処理方法の組合せを選択し、前記画像処理方法の組合せのパラメータを、前記端末周囲環境条件及び前記コンテンツ記述ファイルにより決定し、前記パラメータを調整した前記画像処理方法を実施する画像変換手段と、前記画像処理方法の組合せ実施後の前記要求画像を使用可能フォーマットに変換するトランスコーディング手段とを有し、前記配信手段が、前記使用可能フォーマット変換後の前記要求画像を出力する情報処理装置。
【請求項１０】
請求項１ないし３のいずれか記載の情報表示装置と、請求項７又は８記載の情報処理装置とを含む情報処理システム。
【請求項１１】
請求項４ないし６のいずれか記載の情報表示装置と、コンテンツ記述ファイルとカラーマネジメントプロファイルとが合わせて記憶されている複数の画像を蓄積し、前記情報表示装置から入力される画像要求信号の示す要求画像を出力する画像データベースと、画像要求信号を受信し、前記画像要求信号に示された要求画像を送信する配信手段とを含む情報処理システム。
【発明の詳細な説明】
【０００１】
【発明の属する技術分野】
本発明は、携帯電話を含む様々なディスプレイを持つ情報端末に画像を配信する際に、端末毎に画像を最適化する情報処理システムに関するものである。
【０００２】
【従来の技術】
インターネットの普及により、同一のコンテンツを様々な種類の情報を表示する情報端末に配信する機会が増大している。情報端末には、パソコン用ディスプレイ及びテレビなどの１０インチ以上のモニタから、携帯電話、ＰＨＳ及び携帯用個人情報端末（ＰＤＡ）などの数インチ程度のモニタがあり、コンピュータを意識することなく現実生活のいたるところで情報を利用できる環境であるユビキタスな情報環境となっている。
【０００３】
このように情報端末が多種多様であること、また情報端末毎に使用可能なアプリケーションが異なることから、サーバに蓄積されているコンテンツをそのまま各情報端末に配信すると、情報の表示に誤りが発生する場合があり、ＨＴＭＬ文書の整形やフォーマット変換が必要である。このような技術をトランスコーディングと呼ぶ。
【０００４】
コンテンツの中でも特に画像は、同一の画像を多種の情報端末に配信する場合は、ディスプレイの色数及び解像度といった性能に応じた色変換を行い、更に情報端末の持つアプリケーションによって表示可能な画像フォーマット変換を行う必要がある。
【０００５】
そこで、情報端末のディスプレイの特性に応じて、解像度変換、減色変換及びフォーマット変換を行う技術がある（例えば、非特許文献１参照）。
【０００６】
また、コンテンツ画像を携帯端末のようにより小さい解像度の画面に納まるように、縦横比を考慮して画像を回転してから縮小させるように画像を変換するものもある（例えば特許文献１参照）。
【０００７】
一方、情報端末のディスプレイの色特性のみに応じて、色変換を行う技術にカラーマネジメントがある。カラーマネジメントでは、カメラやスキャナなどの入力手段から入力されたカラー画像データを、入力手段に依存しない独立な色空間に変換してから、情報端末のディスプレイに表示するカラー画像データに変換することで、最適な色に変換して出力することができる（例えば特許文献２参照）。
【０００８】
【特許文献１】
特開２００２−１０８７５７号公報（第１０頁、第９図）
【特許文献２】
特開平９−２３３４９０号公報（第４頁、第１図）
【非特許文献１】
“富士写真フィルムが携帯向け配信代行  機種ごとに最適画像  色調整など加工も”（日経産業新聞、平成１３年７月１３日、朝刊、２面、見出し４段）
【０００９】
【発明が解決しようとする課題】
従来の情報処理装置で行われる画像変換は、情報端末のディスプレイに合わせた縦横変換、画像の縮小による解像度変換、ハーフトーン変換などの減色変換のみであるため、携帯端末のように数インチ程度のモニタでは、サーバに蓄積されていた原画像よりも画質や質感が低下し、画像が見難くなるという問題がある。
【００１０】
例えば、物体の細かいテクスチャなどは、単なる解像度縮小を行うと、標準サイズで観察した場合とでは異なった見え方となる。また、従来のカラーマネジメント技術を適用しても、ディスプレイの色特性のみに着目した変換であり、解像度等は考慮していないため、これらの問題を解決することができない。
【００１１】
また、カラーマネジメント技術は、カメラおよびディスプレイ等の画像入出力手段の色特性のみを吸収するものであり、原画像の正確な色を出力するレベルには至っていないのが現状である。
【００１２】
本発明は、かかる点に鑑みてなされたもので、コンテンツの中でも特に画像を、携帯電話を含む様々なディスプレイを持つ情報端末に配信する際に、画像を最適化する情報処理装置及び情報処理方法を提供することを目的とする。
【００１３】
【課題を解決するための手段】
従来の課題を解決するため、本発明は、コンテンツの中でも特に画像を、携帯電話を含む様々なディスプレイを持つ情報端末に配信する際に、従来のカラーマネジメントによる色変換の枠組みに加え、情報端末のディスプレイの性能と、画像に含まれる被写体の材質や撮影距離を含むコンテンツ情報とに応じた最適な画像処理を行うようにしたものである。また、ユーザの画像に対する嗜好や、ユーザが入力する画像の質感に応じて画像処理のパラメータを変化させるようにしたものである。
【００１４】
本構成により、画像の画質及び質感の低下を抑制し、原画像の色の違和感を抑制した画像を情報端末のディスプレイに表示することができる。
【００１５】
【発明の実施の形態】
本発明の請求項１に記載の発明は、画像を表示するディスプレイ手段と、前記ディスプレイ手段の周囲の照明条件を示す端末周囲環境条件を計測する端末周囲環境取得手段と、前記端末周囲環境条件を記憶する端末周囲環境データベースと、前記ディスプレイ手段に表示する画像である要求画像をユーザが指定し、前記要求画像を要求する信号である画像要求信号を出力するユーザ入力手段と、前記ディスプレイ手段のメーカ名、品番、縦横の画素数、解像度、色特性及び使用可能フォーマットを含む情報である端末特性を蓄積する端末特性データベースと、前記端末特性、前記端末周囲環境条件及び前記画像要求信号を送信し、前記端末特性及び前記端末周囲環境条件により前記ディスプレイ手段に適応させた前記要求画像を受信する情報送受信手段とを有する情報表示装置としたものであり、同一の画像を多種多様なディスプレイを持つ情報表示装置に適応するように変換し、更に、使用状況を考慮して画像処理された画像を受信し、表示することができるという作用を有する。
【００１６】
本発明の請求項２に記載の発明は、ユーザの嗜好、画像表示履歴、ユーザの年齢、視覚障害の有無及び視力の少なくとも１つを含むユーザ嗜好情報を記憶するユーザ嗜好データベースを更に含み、ユーザ入力手段が、更に、ユーザにより入力される前記ユーザ嗜好情報を前記ユーザ嗜好データベースに出力し、情報送受信手段が、更に、前記ユーザ嗜好情報を送信し、前記ユーザ嗜好情報を含めてディスプレイ手段に適応させた要求画像を受信する請求項１記載の情報表示装置としたものであり、ユーザの嗜好を考慮した画像を表示することができるという作用を有する。
【００１７】
本発明の請求項３に記載の発明は、ユーザ入力手段が、更に、ユーザにより入力される要求画像の質感を示す信号である画像強調度変更信号を情報送受信手段に出力し、情報送受信手段が、更に、前記画像強調度変更信号を送信し、前記画像強調度変更信号を含めてディスプレイ手段に適応させた要求画像を受信する請求項１又は２記載の情報表示装置としたものであり、ユーザにより画像の質感を変更することができるという作用を有する。
【００１８】
本発明の請求項４に記載の発明は、端末特性及び端末周囲環境条件により決定された画像処理方法の組合せが蓄積された処理データベースと、要求画像のカラーマネジメントプロファイルにより前記要求画像を前記画像入力手段とディスプレイ手段とから独立した色空間に変換し、更に、前記画像処理方法の組合せを実施した前記要求画像を前記ディスプレイ手段の色空間に変換するカラーマネジメント手段と、前記ディスプレイ手段の解像度及び縦横の画素数により前記要求画像が変更される画像サイズである変更画像サイズを決定し、前記要求画像内の撮影された素材、前記素材を示す情報、前記要求画像の撮影距離及び前記要求画像の用途を含む情報であるコンテンツ記述ファイルにより前記画像処理方法の組合せを選択し、前記要求画像の画像サイズと前記コンテンツ記述ファイルとにより前記画像処理方法の組合せのパラメータを決定し、前記パラメータが調整された前記画像処理方法の組合せを前記カラーマネジメント手段により色空間が変更された前記要求画像に実施し、前記画像処理方法の組合せ実施後の前記要求画像を前記変更画像サイズに変更するコンテンツ考慮リサイズ手段と、前記ディスプレイ手段の色空間に変換された前記画像処理方法の組合せ実施後の前記要求画像を、使用可能フォーマットに変換するトランスコーディング手段とを更に有し、情報送受信手段が、画像要求信号を送信し、要求画像を受信する請求項１ないし３のいずれか記載の情報表示装置としたものであり、情報表示装置が、受信した画像をディスプレイに適した画像処理を行い、使用環境、ユーザの嗜好を考慮した画像変換を実施することができるという作用を有する。
【００１９】
本発明の請求項５に記載の発明は、カラーマネジメント手段が、カラーマネジメントプロファイルにより要求画像を画像入力手段とディスプレイ手段とから独立した色空間に変換し、前記ディスプレイ手段の色特性及び端末周囲環境条件により前記要求画像を前記ディスプレイ手段の色空間に変換する請求項４記載の情報表示装置としたものであり、情報表示装置が、受信した画像をディスプレイに適した画像処理を行い、使用環境、ユーザの嗜好を考慮した画像変換を実施することができるという作用を有する。
【００２０】
本発明の請求項６に記載の発明は、端末特性及び端末周囲環境条件により画像処理内容を決定する処理データベースと、要求画像を、前記端末特性により画像処理方法の組合せを選択し、前記画像処理方法の組合せのパラメータを、前記端末周囲環境条件及びコンテンツ記述ファイルにより決定し、前記パラメータを調整した前記画像処理方法の組合せを実施する画像変換手段と、前記画像処理方法の組合せ実施後の前記要求画像を、使用可能フォーマットに変換するトランスコーディング手段とを更に有し、情報送受信手段が、前記画像要求信号とを送信し、前記要求画像を受信する請求項１ないし３のいずれか記載の情報表示装置としたものであり、情報表示装置が、受信した画像をディスプレイに適した画像処理を行い、使用環境、ユーザの嗜好を考慮した画像変換を実施することができるという作用を有する。
【００２１】
本発明の請求項７に記載の発明は、画像要求信号、端末特性及び端末周囲環境条件が入力される配信手段と、前記端末特性及び前記端末周囲環境条件により決定された画像処理方法の組合せが蓄積されている処理データベースと、カラーマネジメントプロファイルにより前記要求画像を前記画像入力手段と前記ディスプレイ手段とから独立した色空間に変換し、更に、前記画像処理方法の組合せ実施後の要求画像を前記ディスプレイ手段の色空間に変換するカラーマネジメント手段と、前記ディスプレイ手段解像度及び縦横の画素数により変更画像サイズを決定し、コンテンツ記述ファイルにより前記画像処理方法の組合せを選択し、前記要求画像の画像サイズと前記コンテンツ記述ファイルとにより前記画像処理方法の組合せのパラメータを決定し、前記パラメータが調整された前記画像処理方法を前記独立した色空間の前記要求画像に実行し、前記画像処理方法の組合せ実施後の前記要求画像を前記変更画像サイズに変更するコンテンツ考慮リサイズ手段と、前記ディスプレイ手段の色空間に変換された前記画像処理方法の組合せ実施後の前記要求画像を、使用可能フォーマットに変換するトランスコーディング手段とを更に有し、前記配信手段が、前記ディスプレイ手段の色空間に変換された前記画像処理方法の組合せ実施後の前記要求画像を出力する情報処理装置としたものであり、送信を要求された画像を、画像が表示されるディスプレイに適した画像処理を実施することができるという作用を有する。
【００２２】
本発明の請求項８に記載の発明は、カラーマネジメント手段が、カラーマネジメントプロファイルにより要求画像を画像入力手段とディスプレイ手段とから独立した色空間に変換し、前記ディスプレイ手段の色特性及び端末周囲環境条件により前記要求画像を前記ディスプレイ手段の色空間に変換する請求項７記載の情報処理装置としたものであり、送信を要求された画像を、画像が表示されるディスプレイに適した画像処理を実施することができるという作用を有する。
【００２３】
本発明の請求項９に記載の発明は、画像要求信号、端末特性及び端末周囲環境条件が入力される配信手段と、コンテンツ記述ファイルとカラーマネジメントプロファイルとが合わせて記憶されている複数の画像を蓄積し、前記画像要求信号の示す要求画像を出力する画像データベースと、前記端末特性及び前記端末周囲環境条件により決定された画像処理方法の組合せが蓄積された処理データベースと、前記画像データベースから読み出された前記要求画像を、前記端末特性により画像処理方法の組合せを選択し、前記画像処理方法の組合せのパラメータを、前記端末周囲環境条件及び前記コンテンツ記述ファイルにより決定し、前記パラメータを調整した前記画像処理方法を実施する画像変換手段と、前記画像処理方法の組合せ実施後の前記要求画像を使用可能フォーマットに変換するトランスコーディング手段とを有し、前記配信手段が、前記使用可能フォーマット変換後の前記要求画像を出力する情報処理装置としたものであり、送信を要求された画像を、画像が表示されるディスプレイに適した画像処理を情報処理装置が実施することができるという作用を有する。
【００２４】
本発明の請求項１０に記載の発明は、請求項１ないし３のいずれか記載の情報表示装置と、請求項７又は８記載の情報処理装置とを含む情報処理システムとしたものであり、情報表示装置が要求した画像を、画像が表示される情報表示装置のディスプレイに適した画像処理を情報処理装置が実施することができるという作用を有する。
【００２５】
本発明の請求項１１に記載の発明は、請求項４ないし６のいずれか記載の情報表示装置と、コンテンツ記述ファイルとカラーマネジメントプロファイルとが合わせて記憶されている複数の画像を蓄積し、前記情報表示装置から入力される画像要求信号の示す要求画像を出力する画像データベースと、画像要求信号を受信し、前記画像要求信号に示された要求画像を送信する配信手段とを含む情報処理システムとしたものであり、情報表示装置が、受信した画像をディスプレイに適した画像処理を行い、使用環境、ユーザの嗜好を考慮した画像変換を実施することができるという作用を有する。
【００２６】
以下、本発明の実施の形態について図面を参照して詳細に説明する。
【００２７】
（実施の形態１）
図１は、本発明の第１の実施の形態による情報処理システムの構成を示す図であり、情報表示装置と情報処理装置とから構成される。
【００２８】
ここで、情報表示装置は、ディスプレイ手段、情報送受信手段、端末特性データベース、端末周囲環境取得手段及び端末周囲環境データベースを含む構成であり、情報処理装置は、配信手段、画像データベース、カラーマネジメント手段、コンテンツ考慮リサイズ手段、処理データベース及びトランスコーディング手段を含む構成である。
【００２９】
図１において、１０１は、画像を表示する情報表示装置を示し、１０２は、情報表示装置１０１に表示する画像を生成して配信する情報処理装置を示す。
【００３０】
また、１０３は、画像を表示するディスプレイ手段を示し、１０４は、ディスプレイ手段１０３に表示される画像である要求画像を情報処理装置１０２に要求する信号である画像要求信号、ディスプレイ手段１０３のメーカ名、品番、縦横の画素数、解像度、色特性及び使用可能フォーマットとを含む端末特性と端末周囲環境条件とを情報処理装置１０２に送信し、情報処理装置１０２から画像要求信号に従い配信された要求画像を受信する処理を統括して行う情報送受信手段を示し、１０５は、情報表示装置１０１の端末特性を保持する端末特性データベースを示し、１０６は、情報表示装置１０１の周囲の照明条件等である端末周囲環境条件を計測する端末周囲環境取得手段を示し、１０７は、端末周囲環境取得手段１０６で取得された端末周囲環境を記憶する端末周囲環境データベースを示し、１１４は、要求画像をユーザが指定し、画像要求信号を情報送受信手段１０４に出力するユーザ入力手段を示す。
【００３１】
また、端末特性に含まれる色特性は、原色の色度及びガンマ値を示すものである。
【００３２】
次に、１０８は、情報表示装置１０１から画像要求信号を受信し、情報表示装置１０１用に生成された画像である要求画像を送信する配信処理を行う配信手段を示し、１０９は、画像に添付し、画像のコンテンツを示すファイルであり、画像の各領域で表示されている素材、各素材を示す情報、画像に含まれる被写体の撮影距離及び画像の用途を含む情報であるコンテンツ記述ファイルと、各画像を電子データに変換した画像入力手段の色変換技術を示したカラーマネジメントプロファイルとが合わせて記憶されている多種多様な画像を蓄積している画像データベースを示し、１１０は、画像要求信号により画像データベース１０９から読み出された原画像に対し、端末特性のうちの色特性と端末周囲環境条件とを用いてカラーマネジメント処理を施すカラーマネジメント手段を示し、１１１は、画像に添付するコンテンツ記述ファイルによって異なる画像処理方法を選択して実行し、端末特性のうち解像度及び縦横の画素数を用いて配信すべき画像サイズを求め、その画像サイズに画像データベース１０９の原画像を縮小、拡大又は等倍の処理を行うコンテンツ考慮リサイズ手段を示し、１１２は、コンテンツ考慮リサイズ手段１１１で使用するための処理内容を記憶する処理データベースを示し、１１３は、原画像を端末特性に合ったフォーマットに変換するトランスコーディング手段を示す。
【００３３】
まず、情報送受信手段１０４は、情報表示装置１０１上で稼動しているＷＷＷブラウザなどのクライアントソフトウエアからインターネットなどのネットワークを通じて情報処理装置１０２に様々な情報の送受信を行う。情報送受信手段１０４は、画像要求信号、端末特性及び端末周囲環境条件を送信し、要求画像を受信する。
【００３４】
また、端末周囲環境条件は、情報表示装置１０１が携帯型であれば、常に変化するため、端末周囲環境取得手段１０６が、環境が変化する都度又は一定時間毎に計測した端末周囲環境条件を、端末周囲環境データベース１０７に記憶する。また、情報表示装置１０１が、デスクトップパソコンのように据え置き型であれば、予め計測した端末周囲環境条件を端末周囲環境データベース１０７に記憶しておく。
【００３５】
情報送受信手段１０４が送信する端末特性データベース１０５内に記憶される端末特性と端末周囲環境データベース１０７内に記憶される端末周囲環境条件とは、例えば、ＣｏｏｋｉｅやＣＣ／ＰＰ（Ｃｏｍｐｏｓｉｔｅ  Ｃａｐａｂｉｌｉｔｙ／Ｐｒｅｆｅｒｅｎｃｅ  Ｐｒｏｆｉｌｅｓ）と言ったｈｔｔｐヘッダへの情報付加技術に必要な情報タグを付加する形で実現できる。
【００３６】
図２に、ＣＣ／ＰＰによる端末特性の記述を示す。ＣＣ／ＰＰに基本的に用いられている情報タグの他に、本発明による端末特性の送信のために、新たにＧａｍｍａ、ＲｅｄＣｏｌｏｒａｎｔ、ＧｒｅｅｎＣｏｌｏｒａｎｔ、ＢｌｕｅＣｏｌｏｒａｎｔ、ＷｈｉｔｅＣｏｌｏｒａｎｔ、Ｌｕｍｉｎａｎｃｅ、ＡｍｂｉｅｎｔＩｌｌｕｍｉｎａｎｔといった情報タグが付加されている。
【００３７】
情報処理装置１０２の配信手段１０８は、情報表示装置１０１から発信された画像要求信号、端末特性及び端末周囲環境条件を取得し、画像データベース１０９に要求された画像の読み出しを指示する。
【００３８】
更に、カラーマネジメント手段１１０、コンテンツ考慮リサイズ手段１１１及びトランスコーディング手段１１３に対し、情報表示装置１０１の端末特性及び端末周囲環境条件を送信する。
【００３９】
例えば、カラーマネジメント手段１１０には、端末特性に含まれる色特性と端末周囲環境条件とを送信し、コンテンツ考慮リサイズ手段１１１には、情報表示装置１０１の解像度を送信し、トランスコーディング手段１１３には、画像フォーマットに関する情報を送信する。
【００４０】
コンテンツ考慮リサイズ手段１１１は、取得した情報表示装置１０１の解像度及び縦横の画素数を含む情報により、要求画像の変更サイズを決定し、画像に添付するコンテンツ記述ファイルに応じて必要な処理を処理データベース１１２から読み出し、サイズ変換処理を実行する。
【００４１】
また、カラーマネジメント手段１１０は、端末特性に含まれる色特性と端末周囲環境条件とを用いて、ディスプレイ手段１０３に表示すべき画像の色合いが、正確になるように色変換処理を実行する。
【００４２】
以上のカラーマネジメント手段１１０及びコンテンツ考慮リサイズ手段１１１による処理が終了した後、トランスコーディング手段１１３は生成された画像を情報表示装置１０１に合ったフォーマットに変換し、配信手段１０８に送信する。
【００４３】
配信手段１０８が、要求画像を情報表示装置１０１にネットークを通じて配信すると、情報表示装置１０１内の情報送受信手段１０４を介して、ディスプレイ手段１０３にユーザ所望の画像が表示される。
【００４４】
次に、本発明のカラーマネジメント手段１１０及びコンテンツ考慮リサイズ手段１１１の動作の詳細を説明する。
【００４５】
カラーマネジメント手段１１０及びコンテンツ考慮リサイズ手段１１１では、画像データベース１０９の内容を参照するので、まず画像データベース１０９の内容について説明する。
【００４６】
蓄積されている画像データには、画像のコンテンツ記述ファイルと、各画像を電子データに変換する際に使用した画像入力装置のカラーマネジメント用入力プロファイルが添付されている。
【００４７】
カラーマネジメント用入力プロファイルとは、その画像データを取得した画像入力装置の色特性を示すものであり、例えば、ＩＣＣ（Ｉｎｔｅｒｎａｔｉｏｎａｌ  Ｃｏｌｏｒ  Ｃｏｎｓｏｒｔｉｕｍ）のＩＣＣプロファイルによる画像入力装置の記述を使うことができる。
【００４８】
ＩＣＣプロファイルは、１２８ｂｙｔｅｓのプロファイルヘッダー、タグテーブル、テーブルに記述した各タグの具体的な記述内容を含み、バイナリデータとして画像に埋め込むこともできる。
【００４９】
図３に、ＩＣＣプロファイルによる色特性記述の一部を示す。入力プロファイルは、ＡｔｏＢ０タグと呼ばれるタグに属し、赤青緑の３原色のＸＹＺ三刺激値を記入するＣｏｌｏｒａｎｔＴａｇ、３原色の各ガンマを１次元ルックアップテーブルとして記入するＴＲＣＴａｇ及び白色のＸＹＺ三刺激値を記入するＭｅｄｉａＷｈｉｔｅＰｏｉｎｔＴａｇを含む必須記入タグを有する。
【００５０】
カラーマネジメント手段１１０は、このＩＣＣプロファイル記述に基づき、画像を情報表示装置のディスプレイ手段１０３に独立な色空間であるＤＩＣ色空間（Ｄｅｖｉｃｅ  Ｉｎｄｅｐｅｎｄｅｎｔ  Ｃｏｌｏｒ  Ｓｐａｃｅ：ＤＩＣ色空間）に変換する。ディスプレイ手段１０３に独立な色空間には、ＣＩＥ（Ｃｏｌｏｒ）の規定するＸＹＺ三刺激値、Ｌ＊ａ＊ｂ＊色空間及びカラーアピアランスモデルで示されるＪＣｈ（Ｊ−明度、Ｃ−彩度、ｈ−色相）が含まれる。
【００５１】
コンテンツ記述ファイルとは、各画像のコンテンツを示すファイル内容で、例えば、画像の各領域をその素材を示す素材識別番号で表現した素材識別画像、被写体との距離を示す被写体距離情報、各素材に必要な情報を含んだ素材パラメータ情報及び画像用途情報がある。
【００５２】
図４に、素材識別画像５０１を示す。画像内の各画素に対応する素材番号が割り振られた画像であり、コンテンツ考慮型リサイズ手段１１１では、この素材番号に応じて画素毎に異なる処理を選択して実行する。実線により分割された部分が画素に相当し、画素１つに素材番号１つが割り振られている。
【００５３】
素材には様々なものがあり、例えば、金属を１とし、プラスチックを２とし、ビニールを３とし、ガラスを４とし、布を５とし、その他のものを６とした。なお、素材識別画像５０１は、何らかの画像認識手段により生成されるものであってもよいし、人手により入力してもよい。
【００５４】
次に、被写体距離情報には、画像に含まれる被写体の撮影距離情報を格納する。ここで、被写体撮影の距離が近い場合には、各素材のテクスチャ等が明確に認識されるため、被写体を観察した場合に、質感に近い画像を出力するための処理をコンテンツ考慮型リサイズ手段１１１で施す。
【００５５】
なお、被写体距離情報は、３次元スキャナと呼ばれる奥行き計測手段で計測してもよいし、ステレオ画像処理といった画像認識手段によって推定してもよいし、ユーザの経験値により入力してもよい。
【００５６】
次に、素材パラメータ情報は、各素材の特徴を示すパラメータであり、原画像の質感に近い要求画像を、コンテンツ考慮型リサイズ手段１１１で生成する際に使用されるものである。本発明では、代表的な素材パラメータ情報として、素材の持つテクスチャの粒状度σを取り上げる。
【００５７】
粒状度σは、実際に市販のスタイラスメータ計測器などで被写体を計測してもよいし、情報処理により推定してもよい。被写体の距離が近い原画像のテクスチャは、ユーザが明確に視認することができ、情報表示装置１０１のディスプレイ手段１０３に表示された要求画像においても、原画像の質感に近い画像を出力するために、素材の粒状度と距離とに応じてテクスチャの強調処理を行う。
【００５８】
画像用途情報は、ＣＧ又は自然画の区別でもよいし、色再現方法による区別でもよい。ここで、色再現方法には、ユーザの嗜好に適した色再現と、原画像に正確な色再現とが含まれる。また、用途を更に厳密に区分し、例えば医療用、アミューズメント用又は現場写真用といった設定を行っても良い。
【００５９】
次に、カラーマネジメント手段１１０及びコンテンツ考慮リサイズ手段１１１の動作について説明する。動作には２通りの方法が考えられるため、これらを順に説明する。
【００６０】
第１の方法は、ＣＩＥの色の見えモデルＣＩＥＣＡＭ９７ｓを用いたＪＣｈ（明度、彩度、色相）の色空間であるＤＩＣ空間においてコンテンツ考慮型リサイズ手段１１１が画像処理を実行する方法であり、第２の方法は、ディスプレイ手段１０３の色空間において、コンテンツ考慮型リサイズ手段１１１が画像処理を実行する方法である。
【００６１】
まず、第１の方法のフローチャートを図５に示す。
【００６２】
Ｓ６０１にて、配信手段１０８は、画像データベース１０９から要求された画像である要求画像の読み出しを行い、カラーマネジメント手段１１０に出力する。
【００６３】
次に、Ｓ６０２にて、カラーマネジメント手段１１０は、画像データベース１０９から要求画像に添付されているカラーマネジメント用入力プロファイルであるＩＣＣプロファイルを用いて画像を独立色空間であるＤＩＣ色空間に変換する。
【００６４】
次に、Ｓ６０３にて、コンテンツ考慮型リサイズ手段１１１は、配信手段１０８から端末特性に含まれる解像度及び縦横の画素数を入力し、解像度と要求画像とから画像サイズを算出する。画像サイズが原画像より大きければ拡大処理、小さければ縮小処理を以降の手順で行うことになる。
【００６５】
次に、Ｓ６０４にて、コンテンツ考慮型リサイズ手段１１１は、画像データベース１０９から読み出した要求画像に添付されたコンテンツ記述ファイルのうち、素材識別画像５０１の素材識別番号及び画像用途情報に応じて施す画像処理方法を、処理データベース１１２から選択する。
【００６６】
図６に、処理データベース１１２の内容を示す。処理データベース１１２には、コンテンツ記述ファイルに応じて選択すべき様々な画像処理方法が記憶されており、各コンテンツに最適な画像処理は、予め工学的に主観評価実験等を通して知識として記憶されている。
【００６７】
画像処理方法としては、粒状感強調処理、彩度強調処理、エッジ強調処理、テクスチャ強調処理、光沢輝度強調処理、透明感強調処理、色域拡大処理、色域縮小処理、画像ガンマ変換処理及び明るさ変換処理があり、これらの一つあるいは一つ以上の組合せから成る。
【００６８】
コンテンツ考慮型リサイズ手段１１１が、図６の縦軸から要求画像内の被写体の素材識別番号を選択し、横軸から画像用途を選択することで、画像処理の種類が決定する。例えば、画像用途が自然画である場合には、いずれの素材においても、自然物体に含まれる独特の素材感を示すテクスチャを強調する粒状感強調処理が設定されている。
【００６９】
各画像処理方法における画像の質感の強調度は、画像サイズと被写体距離情報と粒状の大きさを示す素材パラメータとを用いて次のＳ６０５において設定するため、同じ粒状感強調でも、布とプラスチックとでは画像の質感の強調度が異なる。
【００７０】
また、画像の質感の強調度を、更にユーザの嗜好やユーザ入力等によって異ならせることも可能である。また、金属やプラスチックの場合は、その光沢感が問題となるため、粒状感強調処理に加え、画像のダイナミックレンジを広げる光沢輝度強調処理を施す。プラスチックやビニールでは、要求画像のガンマを立てることによって画像明暗を強調し、その透明性性を強調する。
【００７１】
また、布では、ざらつきをはっきりさせるようにエッジ強調を行う。画像用途が、ＣＧである場合には、素材に関わらず全体として、彩度強調処理と、色域拡大による彩度及び輝度の連動した強調処理とを行う。
【００７２】
以上は、処理データベース１１２の例であり、本発明を限定するものではないため、他にもさまざまな処理を設定することができる。
【００７３】
次に、Ｓ６０５にて、コンテンツ考慮型リサイズ手段１１１は、Ｓ６０４で選択された各画像処理方法のパラメータを、Ｓ６０３で算出された画像サイズ、画像データベース１０９に記憶されている被写体距離情報及び素材パラメータを用いて設定する。
【００７４】
図７、処理パラメータ設定を示す図である。画像処理方法毎に使用する画像の質感強調度が処理データベース１１２に記憶されており、これら画像の質感強調度は主観評価実験等によって予め知識として蓄えられている。
【００７５】
図７には、エッジ強調処理及び彩度強調処理におけるパラメータ設定の例を示した。図７（ａ）は、素材粒状度と被写体距離との関係から決まるパラメータを示し、図７（ｂ）は、素材識別番号と目標画像サイズとの関係から決まるパラメータを示す。
【００７６】
例えば、エッジ強調処理のパラメータであるエッジ強調度は、被写体距離情報と素材の粒状度によって決める。距離が遠く、粒状度が小さい場合ほど、要求画像のテクスチャが非常に薄く撮像されてしまう。
【００７７】
しかし、ユーザが実際にその被写体を観察する場合には、目の焦点を様々に変えて被写体のテクスチャも認知し、一方で被写体の全体像も瞬時に認識してしまうため、実際に実物の被写体を見た場合と比べ、要求画像内の被写体を見ると見た目が異なって見えてしまう。
【００７８】
従って、エッジ強調により、距離が遠く、粒状度が小さい場合ほどテクスチャを特に強く強調して画像を生成することにより、ユーザが実物の被写体を実際に見た場合と同程度の質感を感じ取れる画像とすることができる。
【００７９】
また、彩度強調処理のパラメータである彩度強調度は、素材と目標画像サイズとにより決定される。このため、画像サイズが小さく、要求画像のサイズを縮小する場合は、単なるサブサンプリングや解像度変換しただけでは、実際に実物の被写体をユーザが観察した場合と比べ、色の鮮やかさ等が感じ取れず、更に、解像度が低いためぼんやりとした画像となり、画像の質感が低下する。
【００８０】
そこで、画像サイズが小さいものと、素材が布やプラスチックなどカラフルで艶のあるものとの彩度強調度を大きくする。
【００８１】
例えば、被写体距離が５０ｃｍであり、素材粒状度が５ｍｍである場合は、パラメータは３となる。また、目標画像サイズが１２８０画素×１０２４画素であり、素材が金属である場合は、パラメータは１となる。
【００８２】
以上の画像処理方法のパラメータは、本発明を限定するものではなく、一例にすぎない。また、画像処理を２次元マトリクスとして、２つの要因から選択できるように例示してあるが、３つあるいはそれ以上の要因から選択するようにしてもよい。
【００８３】
例えば、エッジ強調処理のエッジ強調度を、図７（ａ）に示した粒状度及び被写体距離に加え、図７（ｂ）に示した画像サイズも加味して決定するようにしてもよい。
【００８４】
次に、Ｓ６０６にて、コンテンツ考慮型リサイズ手段１１１が、決定された画像処理方法とそのパラメータを用いて、要求画像に対し画像処理が実行され、原現画像の画像サイズを変更し、カラーマネジメント手段１１０に再度出力する。
【００８５】
次に、Ｓ６０７にて、カラーマネジメント手段１１０は、情報表示装置１０１のディスプレイ手段１０５の色特性と端末周囲環境条件とを考慮して、要求画像の色空間をＤＩＣ色空間からディスプレイ手段１０５用の色空間に変換し、トランスコーディング手段１１３に出力する。
【００８６】
以上の処理により、要求画像を情報表示装置１０１に最適な画像に変換することができる。得られた最適な画像は、トンラスコーディング手段１１３によりフォーマット変換され、更に、配信手段１０８により情報表示装置１０１に配信される。
【００８７】
次に、第２の方法を示す。情報処理装置１０２のカラーマネジメント手段１１０が、情報表示装置１０１のディスプレイ手段１０５用の色空間への色変換を全て行い、コンテンツ考慮型リサイズ手段１１１が、ディスプレイ手段１０５用の色空間において要求画像のリサイズ変換を行う。
【００８８】
第２の方法の処理手順について、図８を用いて説明する。
【００８９】
Ｓ１１０１にて、配信手段１０８は、画像データベース１０９から要求画像の読み出しを行い、カラーマネジメント手段１１０に出力する。
【００９０】
Ｓ１１０２にて、カラーマネジメント手段１１０は、入力デバイスプロファイル（ＩＣＣ）を用いて要求画像をＤＩＣ色空間に変換し、次に、出力ディスプレイの色特性と端末周囲環境条件を用いて第１の方法と同様にＤＩＣ色空間からディスプレイ手段１０５用の色空間に変換し、コンテンツ考慮型リサイズ手段１１１に出力する。
【００９１】
Ｓ１１０３にて、コンテンツ考慮型リサイズ手段１１１は、配信手段１０８から端末情報に含まれるの解像度及び縦横の画素数を入力し、解像度と要求画像のサイズとから画像サイズを算出する。
【００９２】
ここで、画像サイズが、原画像より大きければ拡大処理、小さければ縮小処理を以降の手順で行うことになる。
【００９３】
Ｓ１１０４にて、コンテンツ考慮型リサイズ手段１１１は、画像データベース１０９から読み出したコンテンツ記述ファイルのうち、素材識別画像５０１の素材識別番号及び画像用途情報に応じて各領域に施す画像処理方法を、処理データベース１１２から選択する。ここで、処理データベースの内容は、第１の方法と同様である。
【００９４】
Ｓ１１０５にて、コンテンツ考慮型リサイズ手段１１１は、Ｓ１１０４で選択された画像処理方法のパラメータを、Ｓ１１０３で算出された画像サイズ、画像データベース１０９に記憶されている被写体距離情報及び素材パラメータを用いて設定する。ここで、処理パラメータの設定方法は、第１の方法と同様である。
【００９５】
Ｓ１１０６で、決定された各処理及び各処理のパラメータを用いて、要求画像に対し画像処理が実行され、画像サイズの変更を行う。
【００９６】
Ｓ１１０７にて、画像処理後の画像をトランスコーディング手段１１３に出力する。
【００９７】
以上の手順により要求画像を情報表示装置１０１に最適な画像に変換することができる。得られた最適な画像はトンラスコーディング手段１１３によってフォーマット変換され、配信手段１０８によって情報表示装置１０１に配信される。
【００９８】
なお、画像データベース１０９は、情報処理装置１０２の外部に配置することも可能であり、また、外部の画像データベースを用いることも可能である。
【００９９】
なお、情報表示装置内で、画像処理を行う情報処理システムの構成を図９に示す。画像処理を行う情報表示装置９０１が、ユーザ入力手段１１４、ディスプレイ手段９０４、端末特性データベース９０５、端末周囲環境データベース９０６、端末周囲環境取得手段１０６、カラーマネジメント手段９１０、コンテンツ考慮型リサイズ手段９０９、処理データベース９０８、トランスコーディング手段９１１及び情報送受信手段９１２を含む構成であり、画像の提供を行う情報提供装置９０２が、配信手段９１３及び画像データベース９１４を含む構成である。
【０１００】
図１の情報処理システムと異なる動作について、簡単に説明する。カラーマネジメント手段９１０は、情報送受信手段９１２から要求画像が入力され、端末特性データベース９０５から端末特性が入力され、端末周囲環境データベース９０６から端末周囲環境条件が入力される。
【０１０１】
コンテンツ考慮型リサイズ手段９０２は、端末特性データベース９０５から端末特性が入力され、処理データベース９０８から端末特性に適応した画像処理方法が入力される。
【０１０２】
トランスコーディング手段９１１は、端末特性データベース９０５から端末特性が入力され、ディスプレイ手段９０４に画像処理した要求画像を出力する。
【０１０３】
情報送受信手段９１２は、ユーザ入力手段１１４から画像要求信号が入力され、画像要求信号を情報提供装置９０２に出力し、要求画像が情報提供装置９０２から入力され、要求画像をカラーマネジメント手段９１０に出力する。
【０１０４】
配信手段９１３は、情報表示手段９０１から画像要求信号が入力され、画像要求信号を画像データベース９１４に出力し、画像データベース９１４から入力された要求画像を情報表示装置９０１に出力する。
【０１０５】
画像データベース９１４は、配信手段９１３から画像要求信号が入力され、画像要求信号に示された要求画像を配信手段９１３に出力する。
【０１０６】
以上のように、本実施の形態によれば、画像を、携帯電話を含む様々なディスプレイを持つ情報表示装置１０１に配信する際に、従来のカラーマネジメントによる色変換の枠組みに加え、情報表示装置１０２のディスプレイ手段１０３の性能と、被写体の材質及び距離といったコンテンツ記述ファイルとに応じて最適な画像変換処理を行うようにすることにより、画質や質感の低下、色の食い違いの無いように画像を最適化することができる。
【０１０７】
（実施の形態２）
第１の実施の形態では、コンテンツ考慮型リサイズ手段１１１における画像の強調度は、処理データベース１１２に記憶されているパラメータ設定に基づいて行われていた。それに対し、第２の実施の形態では、情報表示装置から発信されるユーザの嗜好情報や、ユーザによる入力情報によって画像強調度を変化させる情報処理システムについて説明する。
【０１０８】
図１０は、本発明の第２の実施の形態による情報処理システムの構成を示す図である。ユーザの嗜好、画像表示履歴、ユーザの年齢、視覚障害の有無及び視力を含むユーザ嗜好情報を記憶するユーザ嗜好データベースと、ユーザ自身による画像の強調度の変更を示す画像強調度変更信号を入力するユーザ入力手段とを情報表示装置に設けた点が、第１の実施の形態と異なる。
【０１０９】
１２０１は、ユーザの嗜好、画像表示履歴、ユーザの年齢、視覚障害の有無及び視力を含むユーザ嗜好情報を記憶するユーザ嗜好データベースを示し、１２０２は、ユーザ自身による画像の強調度の変更を示す画像強調度変更信号を入力するユーザ入力手段を示す。
【０１１０】
まず、図１０に示す情報表示装置１２０３の動作を説明する。情報送受信手段１０４が、表示する画像を示す画像要求信号と、端末特性データベース１０５内に記憶される端末特性と、端末周囲環境データベース１０７内に記憶される端末周囲環境条件と、ユーザ嗜好データベース１２０１内に記憶されているユーザの嗜好等に関わるユーザ嗜好情報と、ユーザ入力手段１２０２を用いてユーザが入力した粒状感、透明感及び光沢感を含む画質から画像の強調度を決定する画像強調度変更信号とをインターネットなどのネットワークを通じて情報処理装置１０２に出力する。
【０１１１】
まず、ユーザ嗜好データベース１２０１の内容を図１１に示す。ユーザが指定する画像強調度であるユーザ画像嗜好１００１、ユーザが過去に表示した画像の強調度の履歴であるユーザ画像表示履歴１００２及びユーザプロファイル１００３を含む情報から成る。また、画像強調度は、第２の実施の形態では、最大を５とし、最低を−５とし、１１段階で表示している。
【０１１２】
ここで、ユーザ画像嗜好１００１は、ユーザ毎の画像に対する嗜好を示し情報であり、例えば、ユーザＡは、コンピュータグラフィックス（ＣＧ）の質感を強調したいため、質感強調度は５と設定され、自然画の質感は多少強調する程度で、質感強調度は２と設定されている。
【０１１３】
次に、ユーザ画像表示履歴は、画像の種類毎に過去に表示した画像の質感強調度が示され、ユーザＡは、ＣＧの質感強調度が、５、４、５、５、４となり、自然画の質感強調度は、０、２、１、３、１となる。ただし、この質感強調度は、表示された画像の質感強調度をユーザが変更した場合は、変更後の質感強調度が履歴として示される。
【０１１４】
次に、ユーザプロファイル１００３は、例えば、ユーザの年齢、視覚障害の有無及び視力を含む情報である。ユーザＡは、年齢が１０歳であり、視覚障害は無く、視力は右目が１．５であり、左目も１．５の視力となる。
【０１１５】
次に、ユーザ入力手段１２０２について説明する。図１２は、ユーザ入力手段１２０２から入力される画像の質感強調度を、ディスプレイ手段１０３を用いて示した図である。
【０１１６】
ディスプレイ手段１０３には、要求画像１４０２と画像の質感強調度を表示する強調度表示手段１４０１とが表示されており、ユーザ入力手段１２０２により要求画像１４０２の質感強調度を意識的に変更することができる。変更された画像の質感強調度は、画像強調度変更信号として、ユーザ入力手段１２０２から情報送受信手段１０４を介して情報処理装置１０２に出力される。
【０１１７】
また、強調度入力手段１４０１は、粒状感、透明感及び光沢感を含む感覚毎に複数個設定してもよいし、画像質感強調度として１つ設定してもよい。また、画像の質感強調度の値を、次に説明するコンテンツ考慮型リサイズ手段１１１において使用してもよい。更に、画像強調度変更信号は、ユーザの履歴として、ユーザ嗜好データベース１２０１に記憶される。
【０１１８】
なお、情報送受信手段１０４は、第１の実施の形態と同様に、例えばＣｏｏｋｉｅ及びＣＣ／ＰＰのｈｔｔｐヘッダへの情報付加技術に必要な情報タグを付加する形で実現でき、ユーザ嗜好情報、画像強調度変更信号に相当するタグを追加すればよい。
【０１１９】
なお、ディスプレイ手段１０３、端末特性データベース１０５、端末周囲環境データベース１０７及び端末周囲環境取得手段１０６は、第１の実施の形態と同様な動作であるので、詳細な説明は省略する。
【０１２０】
次に、情報処理装置１０２の動作処理について説明する。
【０１２１】
第１の実施の形態と相違点は、コンテンツ考慮リサイズ手段の動作であり、配信手段１０８、カラーマネジメント手段１１０、画像データベース１０９、処理データベース１１２及びトランスコーディング手段１１３は、第１の実施の形態と同じ動作であるので、ここでの説明は省略する。
【０１２２】
第１の実施の形態では、コンテンツ考慮型リサイズ手段１１１における画像の質感強調度は、処理データベース１１２に記憶されているパラメータ設定に基づいて行われていた。それに対して、第２の実施の形態では、情報表示装置１２０３から発信されるユーザ嗜好情報及び画像強調度変更信号によって、画像の質感強調度を変化される。
【０１２３】
具体的には、処理データベース１１２から読み出されたパラメータ値を、図１１に示したユーザ嗜好データベース１２０１の内容と、画像強調度変更信号とにより変化させる。
【０１２４】
例えば、年齢、視覚障害の有無又は視力を示すユーザプロファイル１００３に応じて、画像処理に用いるパラメータ値を変化させる。ユーザが高齢である場合は、画像のコントラス比を下げ、目への負担を軽減し、視力が低い場合は、画像の輪郭を強調する画像処理を施すパラメータとする。
【０１２５】
また、ユーザ画像表示履歴１００２において、画像強調度変更信号に合わせ、正の値が入力された場合は、画像処理に用いるパラメータ値を上げ、負の値が入力された場合は、画像処理に用いるパラメータ値を下げる処理を行う。
【０１２６】
なお、画像データベース１０９は、情報処理装置１０２の外部に配置することも可能であり、また、外部の画像データベースを用いることも可能である。
【０１２７】
なお、情報表示装置内で、画像処理を行う情報処理システムの構成を図１３に示す。画像処理を行う情報表示装置１３０１が、ユーザ嗜好データベース１３０２、ユーザ入力手段１２０２、ディスプレイ手段９０４、端末特性データベース９０５、端末周囲環境データベース９０６、端末周囲環境取得手段１０６、カラーマネジメント手段９１０、コンテンツ考慮型リサイズ手段１３０４、処理データベース９０８、トランスコーディング手段９１１及び情報送受信手段９１２を含む構成であり、画像の提供を行う情報提供装置９０２が、配信手段９１３及び画像データベース９１４を含む構成である。
【０１２８】
図１０の情報処理システムと異なる動作について、簡単に説明する。カラーマネジメント手段９１０は、情報送受信手段９１２から要求画像が入力され、端末特性データベース９０５から端末特性が入力され、端末周囲環境データベース９０６から端末周囲環境条件が入力される。
【０１２９】
コンテンツ考慮型リサイズ手段１３０４は、端末特性データベース９０５から端末特性が入力され、ユーザ嗜好データベース１３０２からユーザ画像嗜好１００１、ユーザ画像表示履歴１００２及びユーザプロファイル１００３が入力され、処理データベース９０８から端末特性に適応した画像処理方法が入力される。
【０１３０】
トランスコーディング手段９１１は、端末特性データベース９０５から端末特性が入力され、ディスプレイ手段９０４に画像処理した要求画像を出力する。
【０１３１】
情報送受信手段９１２は、ユーザ入力手段１１４から画像要求信号が入力され、画像要求信号を情報提供装置９０２に出力し、要求画像が情報提供装置９０２から入力され、要求画像をカラーマネジメント手段９１０に出力する。
【０１３２】
配信手段９１３は、情報表示手段９０１から画像要求信号が入力され、画像要求信号を画像データベース９１４に出力し、画像データベース９１４から入力された要求画像を情報表示装置９０１に出力する。
【０１３３】
画像データベース９１４は、配信手段９１３から画像要求信号が入力され、画像要求信号に示された要求画像を配信手段９１３に出力する。
【０１３４】
以上のように、本実施の形態によれば、情報表示装置のディスプレイ手段１０３に画像を表示する際に、端末特性とコンテンツ記述ファイルとに加え、更にユーザの嗜好とユーザの入力した画像強調度変更信号とに応じて最適な画像処理を行うようにすることにより、画質や質感の低下の少なく、かつ各ユーザの嗜好に応じた画像を提供することができる。
【０１３５】
（実施の形態３）
第１及び第２の実施の形態では、情報処理装置１０２のカラーマネジメント手段１１０によって、カラーマネジメントシステムによる枠組みの色変換を行い、コンテンツ考慮型リサイズ手段１１１では画像の縮小、拡大を行うというように、カラーマネジメントによる色変換を用いていた。これに対して、第３の実施の形態は、情報表示装置毎に最適な画像処理方法を予め処理データベースに蓄積しておくことで、カラーマネジメント処理を行わない情報処理システムである。
【０１３６】
図１４は、第３の実施の形態による情報処理システムの構成を示した図である。
【０１３７】
図１４において、情報表示装置１２０３は、第２の実施の形態と同様の構成であるので、ここでの説明は省略する。情報処理装置１６０３は、配信手段１０８、画像変換手段１６０１、トランスコーディング手段１１３、画像データベース１０９及び処理データベース１６０２を含む構成であり、配信手段１０８、トランスコーディング手段１１３及び画像データベース１０９は第１の実施の形態と同様であるため、ここでの説明は省略する。
【０１３８】
また、１６０１は、画像データベース１０９から読み出された情報表示装置１２０３が要求する画像を、端末特性、端末周囲環境条件、コンテンツ記述ファイル及びユーザ嗜好情報に基づいて、画像処理を行う画像変換手段を示し、１６０２は、画像変換手段１６０１で使用するための処理内容を記憶するデータベースを示す。
【０１３９】
情報処理装置１６０３の動作について説明する。
【０１４０】
配信手段１０８は、情報表示装置１２０３から入力された画像要求信号、端末特性及び端末周囲環境条件から、画像データベース１０９に要求画像の読み出しを指示し、画像変換手段１６０１に情報表示装置１０１の端末特性及び端末周囲環境条件を出力し、トランスコーディング手段１１３に画像フォーマットを出力する。
【０１４１】
画像変換手段１６０１は、取得した情報表示装置１２０３のディスプレイ手段１０３の解像度及び縦横の画素数により、生成する画像の画像サイズを決定し、コンテンツ記述ファイル、端末特性、端末周囲環境条件及びユーザ嗜好情報に応じて必要な処理を処理データベース１６０２から読み出し、画像処理を実行する。
【０１４２】
トランスコーディング手段１１３は、得られた画像を情報表示装置１２０３に合ったフォーマットに変換し、配信手段１０８に送信する。
【０１４３】
配信手段１０８は、画像処理が施された要求画像を情報表示装置１２０３にネットークを通じて出力する。
【０１４４】
次に、画像変換手段１６０１と処理データベース１６０２との動作の詳細について、図１５を用いて説明する。
【０１４５】
図１５は、画像変換手段１６０１の動作フローである。
【０１４６】
まず、Ｓ１７０１にて、配信手段１０８が、画像データベース１０９から要求画像を読み出し、画像変換手段１６０１に出力する。
【０１４７】
次に、Ｓ１７０２にて、画像変換手段１６０１が、端末特性の解像度及び縦横の画素数から画像処理後の画像サイズを算出する。
【０１４８】
次に、Ｓ１７０３にて、画像変換手段１６０１が、端末特性から読み出したメーカ名及び品番と、画像データベース１０９から読み出したコンテンツ記述ファイルから素材識別画像５０１の素材識別番号とに応じて要求画像に施す画像処理方法を処理データベース１６０２から選択する。処理データベース１６０２の内容を図１６に示す。
【０１４９】
図１６には、端末特性のディスプレイ手段１０３のメーカ名と品番とから求められる適切な画像処理方法が記憶されている。これらの画像処理方法は、予めディスプレイ手段１０３を使っての主観評価実験等によって得られた知識である。画像処理方法の中には、ＬＵＴや３×３行列といったものもあり、ＬＵＴ、行列の数値は情報表示装置１２０３に最適化されたものが別途記憶されている。例えば、Ａ社、品番Ａ００１において、素材認識番号が１である金属の場合は、ＬＵＴと粒状度強調処理と光沢輝度強調処理とが施される。
【０１５０】
また、ディスプレイ手段１０３のメーカ名、品番で画像処理方法を選択するのではなく、ディスプレイ手段１０３の色温度やガンマカーブ値によって画像処理方法を選択する等が考えられ、ディスプレイ手段１０３の色温度やガンマカーブ値によってパラメータを選択するようにしてもよいし、２つ以上の要因によってパラメータを選択するようにしてもよい。
【０１５１】
なお、どのような情報によって画像処理方法を選択するかは、本発明を限定するものではない。
【０１５２】
次に、Ｓ１７０４にて、選択された画像処理方法のパラメータを、ディスプレイ手段１０３のメーカ名、品番、被写体距離情報及び素材パラメータを用いて設定し、更に、ユーザ嗜好情報と画像強調度変更信号とによって、得られたパラメータをユーザに適応させる。
【０１５３】
次に、Ｓ１７０５にて、選択された画像処理を実行し、要求画像をリサイズし、リサイズ後の要求画像をトランスコーディング手段１１３に出力する。
【０１５４】
なお、画像データベース１０９は、情報処理装置１６０３の外部に配置することも可能であり、また、外部の画像データベースを用いることも可能である。
【０１５５】
なお、情報表示装置内で、画像処理を行う情報処理システムの構成を図１７に示す。画像処理を行う情報表示装置１７０１が、ユーザ嗜好データベース１７０２、ユーザ入力手段１２０２、ディスプレイ手段１７０３、端末特性データベース１７０４、端末周囲環境データベース１７０５、端末周囲環境取得手段１０６、画像変換手段１７０７、処理データベース１７０６、トランスコーディング手段１７０８及び情報送受信手段１７０９を含む構成であり、画像の提供を行う情報提供装置９０２が、配信手段９１３及び画像データベース９１４を含む構成である。
【０１５６】
図１４の情報処理システムと異なる動作について、簡単に説明する。画像変換手段１７０７は、情報送受信手段９１２から要求画像が入力され、ユーザ嗜好データベース１７０２からユーザ画像嗜好１００１、ユーザ画像表示履歴１００２及びユーザプロファイル１００３が入力され、端末特性データベース１７０４から端末特性が入力され、端末周囲環境データベース１７０５から端末周囲環境条件が入力される。
【０１５７】
トランスコーディング手段１７０８は、端末特性データベース１７０４から端末特性が入力され、ディスプレイ手段１７０３に画像処理した要求画像を出力する。
【０１５８】
情報送受信手段１７０９は、ユーザ入力手段１１４から画像要求信号が入力され、画像要求信号を情報提供装置９０２に出力し、要求画像が情報提供装置９０２から入力され、要求画像を画像変換手段１７０７に出力する。
【０１５９】
配信手段９１３は、情報表示手段９０１から画像要求信号が入力され、画像要求信号を画像データベース９１４に出力し、画像データベース９１４から入力された要求画像を情報表示装置１７０１に出力する。
【０１６０】
画像データベース９１４は、配信手段９１３から画像要求信号が入力され、画像要求信号に示された要求画像を配信手段９１３に出力する。
【０１６１】
以上のように、本実施の形態によれば、情報処理装置１６０３が要求された画像を、様々なディスプレイを持つ情報表示装置１２０３に出力する際に、情報表示装置１２０３のディスプレイ手段１０３の性能と、被写体の材質や距離といったコンテンツ情報とに応じて、色処理と空間処理とを一括した最適な画像変換処理を行うようにすることにより、画質や質感の低下を抑制し、色の食い違いの無い画像を提供することができる。
【０１６２】
【発明の効果】
以上のように本発明によれば、情報処理装置が要求された画像を、様々なディスプレイを持つ情報表示装置に出力する際に、画質や質感の低下を抑制し、色の食い違いの無い画像を提供することができる。
【図面の簡単な説明】
【図１】本発明の第１の実施の形態による情報処理システムの構成を示す図
【図２】本発明の第１の実施の形態によるＣＣ／ＰＰを用いた端末特性の記述を示す図
【図３】本発明の第１の実施の形態によるＩＣＣを用いた入力プロファイルのタグの記述を示す図
【図４】本発明の第１の実施の形態による素材識別画像を示す図
【図５】本発明の第１の実施の形態によるカラーマネジメント手段及びコンテンツ考慮型リサイズ手段の動作を示すフローチャート
【図６】本発明の第１の実施の形態による処理データベースの内容を示す図
【図７】本発明の第１の実施の形態による処理パラメータ設定を示す図
【図８】本発明の第１の実施の形態によるカラーマネジメント手段及びコンテンツ考慮型リサイズ手段の動作を示すフローチャート
【図９】本発明の第１の実施の形態による情報処理システムの構成を示す図
【図１０】本発明の第２の実施の形態による情報処理システムの構成を示す図
【図１１】本発明の第２の実施の形態によるユーザ嗜好データベースを示す図
【図１２】本発明の第２の実施の形態によるユーザ入力手段を示す図
【図１３】本発明の第２の実施の形態による情報処理システムの構成を示す図
【図１４】本発明の第３の実施の形態による情報処理システムの構成を示す図
【図１５】本発明の第３の実施の形態による画像変換手段の動作を示すフローチャート
【図１６】本発明の第３の実施の形態による処理データベースを示す図
【図１７】本発明の第３の実施の形態による情報処理システムの構成を示す図
【符号の説明】
１０１、９０１、１２０３、１３０１、１７０１  情報表示装置
１０２、９０２、１６０３  情報処理装置
１０３、９０３、１７０３  ディスプレイ手段
１０４、９１２  情報送受信手段
１０５、９０５、１７０４  端末特性データベース
１０６  端末周囲環境取得手段
１０７、９０６、１７０５  端末周囲環境データベース
１０８、９１３  配信手段
１０９、９１４  画像データベース
１１０、９１０  カラーマネジメント手段
１１１、９０９、１３０４  コンテンツ考慮型リサイズ手段
１１２、９０８、１７０６  処理データベース
１１３、９１１、１７０８  トランスコーディング手段
９０２  情報提示装置
１２０１、１３０２、１７０２  ユーザ嗜好データベース
１１４、１２０２  ユーザ入力手段
１６０１、１７０７  画像変換手段
【図１】
2004219731.tif 000003
【図２】
2004219731.tif 000004
【図３】
2004219731.tif 000005
【図４】
2004219731.tif 000006
【図５】
2004219731.tif 000007
【図６】
2004219731.tif 000008
【図７】
2004219731.tif 000009
【図８】
2004219731.tif 000010
【図９】
2004219731.tif 000011
【図１０】
2004219731.tif 000012
【図１１】
2004219731.tif 000013
【図１２】
2004219731.tif 000014
【図１３】
2004219731.tif 000015
【図１４】
2004219731.tif 000016
【図１５】
2004219731.tif 000017
【図１６】
2004219731.tif 000018
【図１７】
2004219731.tif 000019